(57)【要約】【課題】対象者の行動を適切に把握することが可能な情報処理システムを提供する。【解決手段】携帯端末装置を利用した情報処理システムは、所定領域内に分散して配置され、互いに異なる識別情報を発信する複数の発信装置と、携帯端末装置に設けられ、識別情報を受信する受信手段と、複数の発信装置の各々について、当該発信装置の識別情報および位置情報を含む装置情報を格納する情報格納手段と、携帯端末装置に設けられ、対象者に関するイベント情報の入力を受け付ける入力手段と、受信手段により受信された識別情報と装置情報とに基づいて、イベント情報の入力が受け付けられた時点での携帯端末装置の位置情報を取得する取得手段と、対象者に関するイベント情報と、当該時点での携帯端末装置の位置情報とを含む、対象者のイベント履歴情報を出力する出力手段とを備える。【選択図】図４
2020174405.tif 000002
【特許請求の範囲】
【請求項１】
対象者の携帯端末装置と、前記携帯端末装置と通信可能に構成された端末装置とを利用した情報処理システムであって、
所定領域内に分散して配置され、互いに異なる識別情報を有する複数の発信装置と、
前記携帯端末装置に設けられ、前記識別情報を受信する受信手段と、
前記複数の発信装置の各々について、当該発信装置の識別情報を含む装置情報を格納する情報格納手段と、
前記携帯端末装置に設けられ、前記端末装置からのイベント通知情報を受信する通知情報受信手段と、
前記イベント通知情報に基づくイベント内容と、前記携帯端末装置の位置情報とを含む、前記対象者のイベント履歴情報を出力する出力手段とを備える、情報処理システム。
【請求項２】
前記装置情報は、さらに当該発信装置の位置情報を含み、
前記携帯端末装置に設けられ、前記イベント通知情報を報知する報知手段と、
前記受信手段により受信される識別情報と、前記装置情報とに基づいて、前記報知手段により前記イベント通知情報が報知された時点から所定の時間経過後における前記携帯端末の位置情報を取得する取得手段と、をさらに備え、
前記出力手段は前記イベント内容と、前記所定の時間経過後における前記携帯端末位置の位置情報とを含む、前記対象者のイベント履歴情報を出力する、請求項１に記載の情報処理システム。
【請求項３】
前記取得手段により取得された前記携帯端末装置の位置情報に基づいて、前記イベント通知情報に基づくイベント内容を前記対象者が実施したか否かを判定する判定手段をさらに備える、請求項２に記載の情報処理システム。
【請求項４】
前記受信手段は、第１の通信インターフェイスを介して前記識別情報を受信し、
前記通知情報受信手段は、第２の通信インターフェイスを介して前記イベント通知情報を受信する、請求項１〜３の何れかに記載の情報処理システム。
【請求項５】
識別情報を発信する対象者の携帯端末装置と、前記携帯端末装置と通信可能に構成された端末装置とを利用した情報処理システムであって、
所定領域内に分散して配置される複数の受信装置を備え、
前記複数の受信装置の各々は、前記識別情報を受信した場合、当該受信装置の識別情報をサーバに送信し、
前記サーバに設けられ、前記複数の受信装置の各々について、当該受信装置の識別情報を含む受信装置情報を格納する情報格納手段と、
前記携帯端末装置に設けられ、前記端末装置からのイベント通知情報を受信する通知情報受信手段と、
前記イベント通知情報に基づくイベント内容と、前記携帯端末装置の位置情報とを含む、前記対象者のイベント履歴情報を出力する出力手段とを備える、情報処理システム。
【請求項６】
前記受信装置情報は、さらに、当該受信装置の位置情報を含み、
前記携帯端末装置に設けられ、前記イベント通知情報を報知する報知手段と、
前記受信手段により受信される識別情報と、前記装置情報とに基づいて、前記報知手段により前記イベント通知情報が報知された時点から所定の時間経過後における前記携帯端末の位置情報を取得する取得手段と、をさらに備え
前記出力手段は前記イベント内容と、前記所定の時間経過後における前記携帯端末位置の位置情報とを含む、前記対象者のイベント履歴情報を出力する、請求項５に記載の情報処理システム。
【請求項７】
前記識別情報は、前記携帯端末装置に設けられた発信モジュールにより発信され、
前記通知情報受信手段は、通信インターフェイスを介して前記イベント通知情報を受信する、請求項６に記載の情報処理システム。
【請求項８】
前記対象者が実施すべきイベント内容に関連付けられた所定装置から送信されるイベント終了情報に基づいて、当該イベントが終了したか否かを判断する終了判断部をさらに備える、請求項１、２、４、５、６、７のいずれか１項に記載の情報処理システム。
【請求項９】
前記複数の発信装置の各々は、電源としての太陽電池素子を有する、請求項１から４のいずれか１項に記載の情報処理システム。
【請求項１０】
前記太陽電池素子は、色素増感型太陽電池素子である、請求項９に記載の情報処理システム。
【発明の詳細な説明】
【技術分野】
【０００１】
本国際出願は、２０１７年３月２９日に日本国特許庁に出願された日本国特許出願第２０１７−０６５８４１号に基づく優先権を主張するものであり、日本国特許出願第２０１７−０６５８４１号の全内容を参照により本国際出願に援用する。
【０００２】
本開示は、情報処理システムに関する。
【背景技術】
【０００３】
従来、屋内等で移動体の現在位置を特定する位置測定システムが使用されている。位置測定システムでは、施設内の複数の位置に電波発信機を設置するとともに携帯端末装置が移動者により所持される。電波送信機からの電波が携帯端末装置により受信され、携帯端末装置の受信情報に基づいて、移動体が現在どの位置に居るかをサーバにて確認できるようにしている。
【０００４】
例えば、特開２０１５−２００６０９号公報（特許文献１）は、区域内経路案内システムを開示している。当該システムでは、区域内の複数のビーコンから互いに異なる固有識別情報が発信される。携帯端末は、近くのビーコンの固有識別情報を受信してサーバに照会する。サーバは、照会を受けた固有識別情報に対応するビーコン位置情報を携帯端末に送り、携帯端末が現在地情報を取得する。携帯端末は、利用者の目的情報を受け付け、区域内の各場所の属性情報に基づく目的地情報を取得する。さらに、携帯端末は、現在地情報と目的地情報と経路網情報とに基づいて、現在地から目的地までの推奨経路を探索し、推奨経路を提示する。
【先行技術文献】
【特許文献】
【０００５】
【特許文献１】特開２０１５−２００６０９号公報
【発明の概要】
【発明が解決しようとする課題】
【０００６】
しかしながら、特許文献１に係るシステムでは、現在地の位置情報を正確に取得して経路案内することを検討しているが、対象者が存在する位置において当該対象者が具体的に何を行なったか（行動）を把握するための技術的手段を何ら教示ないし示唆するものではない。
【０００７】
本開示は、ある局面では、対象者の行動を適切に把握することが可能な情報処理システムを提供することを目的とする。
【課題を解決するための手段】
【０００８】
ある実施の形態に従うと、携帯端末装置を利用した情報処理システムが提供される。情報処理システムは、所定領域内に分散して配置され、互いに異なる識別情報を発信する複数の発信装置と、携帯端末装置に設けられ、識別情報を受信する受信手段と、複数の発信装置の各々について、当該発信装置の識別情報および位置情報を含む装置情報を格納する情報格納手段と、携帯端末装置に設けられ、対象者に関するイベント情報の入力を受け付ける入力手段と、受信手段により受信された識別情報と、装置情報とに基づいて、入力手段によりイベント情報の入力が受け付けられた時点での携帯端末装置の位置情報を取得する取得手段と、対象者に関するイベント情報と、時点での携帯端末装置の位置情報とを含む、対象者のイベント履歴情報を出力する出力手段とを備える。
【発明の効果】
【０００９】
本開示によると、対象者の行動を適切に把握することが可能となる。
【図面の簡単な説明】
【００１０】
【図１】実施の形態１に従う情報処理システムの全体構成を示す図である。
【図２】実施の形態１に従う携帯端末装置のハードウェア構成の一例を示すブロック図である。
【図３】実施の形態１に従うサーバのハードウェア構成を示すブロック図である。
【図４】実施の形態１に従う情報処理システムの動作を説明するための図である。
【図５】実施の形態１に従う発信機の装置情報を示す図である。
【図６】実施の形態１に従う判定テーブルを示す図である。
【図７】実施の形態１に従うイベント履歴情報を示す図である。
【図８】実施の形態２に従う情報処理システムの全体構成を示す図である。
【図９】実施の形態２に従う情報処理システムの動作の一例を説明するための図である。
【図１０】実施の形態３に従う情報処理システムの全体構成を示す図である。
【図１１】実施の形態３に従う情報処理システムの動作の一例を説明するための図である。
【図１２】実施の形態４に従う情報処理システムの全体構成を示す図である。
【図１３】実施の形態４に従う情報処理システムの動作の一例を説明するための図である。
【図１４】実施の形態５に従う情報処理システムの全体構成を示す図である。
【図１５】実施の形態６に従う情報処理システムの全体構成を示す図である。
【図１６】実施の形態６に従う情報処理システムの動作の一例を示す図である。
【発明を実施するための形態】
【００１１】
以下、図面を参照しつつ、本開示の実施の形態について説明する。以下の説明では、同一の部品には同一の符号を付してある。それらの名称および機能も同じである。したがって、それらについての詳細な説明は繰り返さない。
【００１２】
［実施の形態１］
＜システムの全体構成＞
図１は、実施の形態１に従う情報処理システム１０００Ａの全体構成を示す図である。図１に示すように、情報処理システム１０００Ａは、限定された領域８００内において、要介護者（被介護者）の介護を行なう介護者の負担を軽減するためのサービスを提供する。本実施の形態では、行動を管理される「対象者」が「被介護者」であるとして説明する。領域８００は、例えば、高齢者の介護施設である。なお、領域８００は、対象者が移動する領域であれよく、病院、商業施設、空港、駅、オフィスビル等であってもよい。
【００１３】
図１を参照して、情報処理システム１０００Ａは、介護者の携帯端末装置１０と、サーバ２０と、複数の発信機３０と、ネットワーク４０とを含む。実施の形態１では、被介護者（例えば、高齢者）が、介護者に付き添われて行動している場面を想定する。
【００１４】
携帯端末装置１０とサーバ２０とは、ネットワーク４０を介して通信可能に構成されている。ネットワーク４０は、インターネット、移動体端末通信網などの各種ネットワークを含む。ネットワーク４０は、無線ＬＡＮ（local area network）等のその他の無線通信方式を採用してもよい。
【００１５】
携帯端末装置１０は、例えば、スマートフォンである。ただし、携帯端末装置１０は、折り畳み式携帯電話、タブレット端末装置、ラップトップＰＣ（personal computer）等のような他の携帯機器であってもよい。
【００１６】
複数の発信機３０は、領域８００内に分散して配置されている。発信機３０は、例えば、発信回路を内蔵した小型発信モジュール（例えば、発信側のビーコンモジュール）であり、駆動源として電池を搭載している。発信機３０は、独立電源としての太陽電池素子を有していてもよい。例えば、太陽電池素子は、色素増感型太陽電池素子である。
【００１７】
発信回路は、発信機３０の識別情報（ビーコンＩＤ）を含むビーコン信号３３を、発信機３０の周囲に所定周期（例えば、０．１秒）で送信する。携帯端末装置１０は、ビーコン信号３３を受信する。発信回路と、携帯端末装置１０との間で用いられる通信規格としては、例えば、Ｂｌｕｅｔｏｏｔｈ（登録商標）やＢＬＥ（Bluetooth  Low  Energy）等の近距離無線通信規格である。例えば、ＢＬＥ規格に対応する発信機３０は、ビーコンＩＤを含むアドバタイジングデータをビーコン信号としてブロードキャストにより発信機３０の周囲に送信する。
【００１８】
発信機３０の配置場所は、領域８００内における食堂、寝室、リハビリルーム、トイレ、浴場等の各所である。発信機３０は、これらの場所の天井、壁、床等に設置される。発信機３０の配置間隔は、領域８００の構造（天井の高さ、幅等）、およびビーコン信号の有効到達距離等に応じて適宜設定される。なお、有効到達距離とは、携帯端末装置１０がビーコン信号３３を受信して処理可能な、発信機３０と携帯端末装置１０との間の最大距離である。
【００１９】
携帯端末装置１０は、領域８００内の複数の発信機３０のうち有効到達距離内の１つ又は複数の発信機３０からビーコン信号３３を受信する。携帯端末装置１０は、受信したビーコン信号３３からビーコンＩＤを復号して、ビーコン信号３３の電波強度を算出する。これにより、携帯端末装置１０は、ビーコン信号３３を受信してビーコンＩＤを取得する。電波強度は、携帯端末装置１０と発信機３０との間の距離と相関し、電波強度が高いほど距離が短い。携帯端末装置１０は、ビーコン信号３３を受信する度に上記処理を実行する。
【００２０】
サーバ２０は、携帯端末装置１０と各種情報をやり取りすることにより、情報処理システム１０００Ａが提供するサービスを携帯端末装置１０等と協働して実行する。携帯端末装置１０およびサーバ２０の詳細な処理については後述する。
【００２１】
＜ハードウェア構成＞
図２は、実施の形態１に従う携帯端末装置１０のハードウェア構成の一例を示すブロック図である。図２を参照して、携帯端末装置１０は、主たる構成要素として、プロセッサ１５２と、メモリ１５４と、入力装置１５６と、ディスプレイ１５８と、無線通信部１６０と、通信アンテナ１６２と、メモリインターフェイス（Ｉ／Ｆ）１６４と、通信インターフェイス（Ｉ／Ｆ）１６６と、スピーカ１６８と、マイク１７０とを含む。
【００２２】
プロセッサ１５２は、典型的には、ＣＰＵ（Central Processing Unit）やＭＰＵ（Multi Processing Unit）といった演算処理部である。プロセッサ１５２は、メモリ１５４に記憶されたプログラムを読み出して実行することで、携帯端末装置１０の各部の動作を制御する制御部として機能する。プロセッサ１５２は、当該プログラムを実行することによって、後述する携帯端末装置１０の処理（ステップ）の各々を実現する。
【００２３】
メモリ１５４は、ＲＡＭ（Random  Access  Memory）、ＲＯＭ（Read-Only  Memory）、フラッシュメモリなどによって実現される。メモリ１５４は、プロセッサ１５２によって実行されるプログラム、またはプロセッサ１５２によって用いられるデータなどを記憶する。
【００２４】
入力装置１５６は、携帯端末装置１０に対する操作入力を受け付ける。典型的には、入力装置１５６は、タッチパネルによって実現される。タッチパネルは、表示部としての機能を有するディスプレイ１５８上に設けられており、例えば、静電容量方式タイプである。タッチパネルは、所定時間毎に外部物体によるタッチパネルへのタッチ操作を検知し、タッチ座標をプロセッサ１５２に入力する。ただし、入力装置１５６は、ボタンなどを含んでいてもよい。
【００２５】
無線通信部１６０は、通信アンテナ１６２を介して移動体通信網に接続し無線通信のための信号を送受信する。これにより、携帯端末装置１０は、ネットワーク４０（たとえば、ＬＴＥ（Long  Term  Evolution）などの移動体通信網）を介して他の通信装置（例えば、サーバ２０）との通信が可能となる。
【００２６】
メモリインターフェイス１６４は、外部の記憶媒体１６５からデータを読み出す。プロセッサ１５２は、メモリインターフェイス１６４を介して記憶媒体１６５に格納されているデータを読み出して、当該データをメモリ１５４に格納する。プロセッサ１５２は、メモリ１５４からデータを読み出して、メモリインターフェイス１６４を介して当該データを外部の記憶媒体１６５に格納する。
【００２７】
記憶媒体１６５は、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、ＳＤ（Secure  Digital）メモリカードなどの不揮発的にプログラムを格納する媒体を含む。
【００２８】
通信インターフェイス（Ｉ／Ｆ）１６６は、携帯端末装置１０と発信機３０との間で各種データをやり取りするための通信インターフェイスであり、アダプタやコネクタなどによって実現される。通信方式としては、例えば、ＢＬＥ（Bluetooth（登録商標） low energy）、無線ＬＡＮなどによる無線通信方式が採用される。
【００２９】
スピーカ１６８は、プロセッサ１５２から与えられる音声信号を音声に変換して携帯端末装置１０の外部へ出力する。マイク１７０は、携帯端末装置１０に対する音声入力を受け付けて、当該音声入力に対応する音声信号をプロセッサ１５２に与える。なお、携帯端末装置１０は、加速度センサおよび角速度センサや時刻を計時するための計時部等をさらに含む。
【００３０】
（サーバ２０）
図３は、実施の形態１に従うサーバ２０のハードウェア構成を示すブロック図である。図３を参照して、サーバ２０は、主たる構成要素として、各種処理を実行するためのプロセッサ２０２と、プロセッサ２０２によって実行されるプログラム、データなどを格納するためのメモリ２０４と、各携帯端末装置１０と各種データを送受信するための通信インターフェイス（Ｉ／Ｆ）２０６と、外部の記憶媒体からデータを読み出すメモリインターフェイス（Ｉ／Ｆ）２０８とを含む。なお、サーバ２０は、時刻を計時するための計時部等をさらに含む。
【００３１】
＜システムの動作＞
図４は、実施の形態１に従う情報処理システム１０００Ａの動作を説明するための図である。ここでは、携帯端末装置１０は、各発信機３０から送信されるビーコン信号３３を常時受信している。以下の携帯端末装置１０の各ステップは、主に、プロセッサ１５２がメモリ１５４に格納されたプログラムを実行することによって実現される。以下のサーバ２０の各ステップは、主に、プロセッサ２０２がメモリ２０４に格納されたプログラムを実行することによって実現される。
【００３２】
図４を参照して、携帯端末装置１０は、入力装置１５６を介して、介護者から被介護者に関するイベント情報の入力を受け付けたか否かを判断する（ステップＳ１０）。イベント情報は、被介護者において発生するイベント内容を少なくとも含む情報である。イベント内容は、例えば、食事（朝食、昼食、夕食等）、排尿、排便、起床、就寝、入浴、リハビリ等である。例えば、携帯端末装置１０は、イベント情報の入力用のソフトウェアボタンが用意されたユーザインターフェイス画面をディスプレイ１５８に表示して、タッチパネルを介してイベント情報の入力を受け付けてもよい。また、携帯端末装置１０は、マイク１７０を介した音声入力により、イベント情報の入力を受け付けてもよい。
【００３３】
イベント情報の入力を受け付けていない場合には（ステップＳ１０においてＮＯ）、携帯端末装置１０はステップＳ１０の処理を繰り返す。イベント情報の入力を受け付けた場合には（ステップＳ１０においてＹＥＳ）、携帯端末装置１０は、入力された時刻を含むイベント情報をメモリ１５４に格納する。例えば、メモリ１５４には、入力された時刻に対応するイベント発生時刻「７：００」と、イベント内容「朝食」とが関連付けられたデータが格納される。
【００３４】
携帯端末装置１０は、イベント情報の入力を受け付けたときに受信したビーコン信号３３に含まれるビーコンＩＤを取得する（ステップＳ１４）。具体的には、携帯端末装置１０は、イベント情報の入力を受け付けた時点から所定時間（例えば、１秒）内に受信したビーコン信号３３に含まれるビーコンＩＤを特定する。携帯端末装置１０は、無線通信部１６０を介して、入力を受け付けたイベント情報と、特定されたビーコンＩＤとをサーバ２０に送信する（ステップＳ１６）。ここで送信されるイベント情報は、例えば、発生したイベント内容（例えば、「朝食」等）と、イベント情報の入力を受け付けた時刻（以下、「入力時刻」とも称する。）と、備考内容とを含む。
【００３５】
サーバ２０は、通信インターフェイス２０６を介して、イベント情報およびビーコンＩＤを受信する（ステップＳ１８）。サーバ２０は、図５に示す情報テーブルを参照して、受信したビーコンＩＤに対応するビーコン位置情報を取得する（ステップＳ２０）。具体的には、サーバ２０は、イベント情報が入力された時点で、携帯端末装置１０が受信したビーコン信号３３の発信元の発信機３０の配置場所を算出する。すなわち、サーバ２０は、イベント情報が入力された時点における携帯端末装置１０の位置情報を算出する。
【００３６】
図５は、実施の形態１に従う発信機の装置情報を示す図である。装置情報５００は、発信機３０の識別情報（ビーコンＩＤ）と、ビーコン位置情報（場所情報）とを含む。具体的には、装置情報５００は、各発信機３０の識別情報（ＩＤ）と、各発信機３０の配置場所との関係を示す情報である。図５の例では、ビーコン位置情報として、各発信機３０が配置された場所が示されており、例えば、ビーコンＩＤ「２」に対応する発信機３０は、寝室Ａに配置されている。そのため、サーバ２０は、ビーコンＩＤ「２」を受信した場合、携帯端末装置１０の位置が寝室Ａであると判断できる。
【００３７】
再び、図４を参照して、サーバ２０は、図６に示す判定テーブルを参照して、算出された携帯端末装置１０の位置情報が示す場所で発生したイベント内容として、受信したイベント情報に含まれるイベント内容が正当か否かを判定する（ステップＳ２２）。
【００３８】
図６は、実施の形態１に従う判定テーブルを示す図である。図６を参照して、判定テーブル４１０は、位置情報と、当該位置情報が示す場所で発生すべき（適切な）イベント内容との関係を示す情報である。携帯端末装置１０の位置情報が示す場所が「食堂」である場合には、正当なイベント内容が「朝食」、「昼食」および「夕食」のいずれかであることが示されている。同様に、携帯端末装置１０の位置情報が「トイレ」である場合には正当なイベント内容が「排尿」または「排便」であり、当該位置情報が「浴場」である場合には正当なイベント内容が「入浴」であり、当該位置情報が「寝室」である場合には正当なイベント内容が「起床」または「就寝」であることが示されている。
【００３９】
例えば、ステップＳ２０において算出した位置情報が「食堂」であり、ステップＳ１８において受信したイベント情報に従うイベント内容が「朝食」である場合には、サーバ２０は当該イベント内容が正当であると判定する。また、当該算出した位置情報が「浴場」であり、当該受信したイベント情報に従うイベント内容が「朝食」である場合には、サーバ２０は当該イベント内容が不当であると判定する。
【００４０】
再び、図４を参照して、イベント内容が正当である場合には（ステップＳ２２においてＹＥＳ）、サーバ２０は、イベント内容の判定結果（正当）を含むイベント履歴情報を生成して（ステップＳ２４）、当該生成したイベント履歴情報をメモリ２０４に格納する（ステップＳ２８）。一方、イベント内容が不当である場合には（ステップＳ２２においてＮＯ）、サーバ２０は、イベント内容の判定結果（不当）を含むイベント履歴情報を生成し（ステップＳ２６）、当該生成したイベント履歴情報をメモリ２０４に格納する（ステップＳ２８）。
【００４１】
図７は、実施の形態１に従うイベント履歴情報を示す図である。図７を参照して、イベント履歴情報は、イベント番号と、イベントの発生時刻と、イベントの発生場所と、発生したイベント内容と、備考と、正当性の判定結果とを含む。発生時刻は、または、携帯端末装置１０から受信したイベント情報の入力時刻に対応する。発生場所は、ステップＳ２０において算出された携帯端末装置１０の位置情報に対応する。備考は、携帯端末装置１０から受信した備考に対応する。正当性の判定結果は、ステップＳ２２における判定結果に対応する。
【００４２】
例えば、図７の例では、イベント番号「１」に対応するイベント情報を参照すると、イベント内容「起床」が、時刻「７：００」に場所「寝室Ｂ」で発生しており、このイベント内容が正当（図中の丸印に対応）であることを示している。備考欄には被介護者の状態が「体調良好」であることが示されている。イベント番号「７」に対応するイベント情報を参照すると、イベント内容「夕食」が、時刻「１８：００」に場所「寝室Ｂ」で発生しており、このイベント内容が不当（図中の×印に対応）であることが示されている。
【００４３】
サーバ２０は、イベント情報を受信するごとに、当該受信したイベント情報を追加していくことによりイベント履歴情報５２０を更新する。図７に示すイベント履歴情報５２０は、各イベント番号「１」〜「１０」に対応するイベント情報が追加された状態である。
【００４４】
再び、図４を参照して、サーバ２０は、通信インターフェイス２０６を介して、イベント履歴情報５２０を携帯端末装置１０に送信する（ステップＳ３０）。
【００４５】
携帯端末装置１０は、無線通信部１６０を介して、イベント履歴情報５２０を受信し（ステップＳ３２）、当該受信したイベント履歴情報５２０をディスプレイ１５８に表示する（ステップＳ３４）。
【００４６】
上記のステップＳ３０において、サーバ２０は、所定のＰＣにイベント履歴情報を送信する構成であってもよい。この場合、所定のＰＣは、イベント履歴情報を受信し、内部メモリにイベント履歴情報を記憶する。
【００４７】
また、携帯端末装置１０が自装置の位置情報を取得する他の方法として、受信した電波強度とビーコンＩＤとをサーバ２０に送信し、サーバ２０がこれらの情報に基づいて当該位置情報を取得し、当該位置情報を携帯端末装置１０や記録用（データ保存用）のＰＣへ送信する方法が考えられる。また、さらに他の方法として、携帯端末装置１０が複数のビーコンＩＤの電波を受信し、その電波強度から３点測位法などの方法で自装置の位置情報を取得し、サーバ２０へ送信する方法が考えられる。
【００４８】
＜変形例＞
上述した実施の形態１では、サーバ２０のメモリ２０４に装置情報５００が格納される構成について説明したが、当該構成に限られない。例えば、装置情報５００は、携帯端末装置１０のメモリ１５４に格納される構成であってもよい。この場合、携帯端末装置１０のプロセッサ１５２が、図４中のステップＳ２０〜Ｓ２８に対応する処理を実行する構成であってもよい。すなわち、プロセッサ１５２は、携帯端末装置１０の位置情報の取得処理、イベント内容の判定処理、イベント履歴情報の生成処理、イベント履歴情報の格納処理を実行してもよい。
【００４９】
上述した実施の形態１では、対象者が被介護者である例を説明したが、介護者が対象者であってもよい。介護者が対象者である場合、介護者自身の作業内容をイベント情報として入力してもよい。すなわち、位置情報を取得されている介護者が自身の行動記録をイベント情報として入力してもよい。
【００５０】
＜利点＞
実施の形態１によると、介護者は、被介護者（対象者）の１日の行動を容易に再確認することができる。また、介護者は、イベント履歴情報５２０を被介護者の介護記録（行動記録）として用いることもできる。そのため、介護者の負担（例えば、被介護者の行動記録を残す負担）を軽減しつつ、被介護者の行動を適切に把握することが可能となる。また、被介護者の行動が適切な位置で行われているか否かが判定されるため、作成された行動記録の信頼性が担保される。
【００５１】
［実施の形態２］
実施の形態１では、被介護者が、介護者に付き添われて行動している場面を想定した。実施の形態２では、被介護者が介護者と離れて行動している場面を想定する。
【００５２】
＜システム構成＞
図８は、実施の形態２に従う情報処理システム１０００Ｂの全体構成を示す図である。情報処理システム１０００Ｂは、被介護者の携帯端末装置１１を有する点で情報処理システム１０００Ａと異なる。以下、実施の形態１と異なる点について説明する。
【００５３】
携帯端末装置１１は、携帯端末装置１０と同様のハードウェア構成を有し、被介護者に所持されている。携帯端末装置１１は、ネットワーク４０を介して携帯端末装置１０と通信可能に構成される。携帯端末装置１０は、介護者に所持されている。なお、実施の形態２においては、介護者が使用するユーザ端末は、携帯可能でなくてもよく、例えば、デスクトップＰＣ等であってもよい。すなわち、実施の形態２に従う携帯端末装置１０は、携帯不能な端末装置に置き換えてもよい。
【００５４】
携帯端末装置１１は、各発信機３０から送信されるビーコン信号３３を受信し、当該受信したビーコン信号３３に含まれるビーコンＩＤをサーバ２０に送信する。そのため、サーバ２０は、図５に示す装置情報５００を参照することにより、携帯端末装置１１の現在の位置情報を算出できる。携帯端末装置１０は、サーバ２０に携帯端末装置１１の現在の位置情報を問い合わせることにより、携帯端末装置１１の現在の位置情報を取得できる。
【００５５】
＜システムの動作例＞
図９は、実施の形態２に従う情報処理システム１０００Ｂの動作の一例を説明するための図である。
【００５６】
図９を参照して、携帯端末装置１０は、入力装置１５６を介して、被介護者に通知するためのイベント通知情報の入力を受け付けたか否かを判断する（ステップＳ５０）。イベント通知情報は、介護者が被介護者に実施してもらいたいイベント内容を被介護者に通知するための情報である。イベント通知情報は、食事を促す情報（例えば、「食事して下さい」）、入浴を促す情報（例えば、「入浴して下さい」）等である。イベント通知情報は、イベント内容（例えば、「入浴」）を実施してもらうために適切な場所（例えば、「浴場」）に行くように促す情報（例えば、「浴場に行って下さい」）であってもよい。
【００５７】
例えば、携帯端末装置１０は、イベント通知情報の入力用のソフトウェアボタンが用意されたユーザインターフェイス画面をディスプレイ１５８に表示して、タッチパネルを介してイベント情報の入力を受け付けてもよい。また、携帯端末装置１０は、マイク１７０を介した音声入力により、イベント通知情報の入力を受け付けてもよい。
【００５８】
イベント通知情報の入力を受け付けていない場合には（ステップＳ５０においてＮＯ）、携帯端末装置１０はステップＳ５０の処理を繰り返す。イベント通知情報の入力を受け付けた場合には（ステップＳ５０においてＹＥＳ）、携帯端末装置１０は、イベント通知情報を携帯端末装置１１に送信する（ステップＳ５２）。
【００５９】
携帯端末装置１１は、イベント通知情報を受信して（ステップＳ５４）、当該受信されたイベント通知情報を被介護者に報知する（ステップＳ５６）。例えば、携帯端末装置１１は、イベント通知情報をディスプレイ１５８に表示してもよいし、イベント通知情報をスピーカ１６８を介して音声出力してもよい。
【００６０】
携帯端末装置１１は、イベント通知情報を報知した時点から基準時間Ｔ１経過後において受信されたビーコン信号３３に含まれるビーコンＩＤを取得する（ステップＳ５８）。基準時間Ｔ１は、被介護者がイベント通知情報の報知を受けた時点から、イベントを実施すべき場所に到着するまでに要する時間を考慮したものである。基準時間Ｔ１は、予め固定された時間であってもよいし、イベント通知内容に応じて決定される時間であってもよい。基準時間Ｔ１がイベント通知内容に応じて決定される場合、携帯端末装置１０は、例えば、イベント通知情報とともに当該基準時間Ｔ１を示す情報を携帯端末装置１１に送信する。
【００６１】
続いて、携帯端末装置１１は、受信したイベント通知情報と、取得したビーコンＩＤとをサーバ２０に送信する（ステップＳ６０）。サーバ２０は、イベント通知情報およびビーコンＩＤを受信する（ステップＳ６２）。サーバ２０は、図５に示す情報テーブル（装置情報５００）を参照して、受信したビーコンＩＤに対応するビーコン位置情報を取得する（ステップＳ６４）。すなわち、サーバ２０は、イベント通知情報が報知された時点から基準時間Ｔ１経過後における携帯端末装置１１の位置情報を算出する。
【００６２】
サーバ２０は、図６の判定テーブル４１０と、算出した携帯端末装置１１の位置情報とに基づいて、イベント通知情報に基づくイベント内容を被介護者が実施したか否かを判定する（ステップＳ６６）。
【００６３】
具体的には、サーバ２０は、イベント通知情報に基づくイベント内容を抽出する。例えば、イベント通知情報が、入浴を促す情報「入浴して下さい」である場合、サーバ２０は、イベント通知情報からイベント内容として「入浴」を抽出する。また、イベント通知情報が、入浴を促す情報「浴場に行って下さい」である場合、場所「浴場」における適切なイベント内容である「入浴」を抽出する。当該抽出処理は、例えば、場所とイベント内容とが関連付けられた抽出用のテーブルを参照することにより実行される。
【００６４】
当該抽出処理後、サーバ２０は、ステップＳ６４において算出した携帯端末装置１１の位置情報に基づいて、被介護者がイベント通知情報（例えば、入浴を促す情報）の報知を受けた時点から基準時間Ｔ１経過後に、当該イベント通知情報に基づくイベント内容（例えば、「入浴」）を実施すべき場所（例えば、「浴場」）に存在しているか否かを判定する。
【００６５】
サーバ２０は、当該実施すべき場所に存在している場合（例えば、当該基準時間Ｔ１経過後に「浴場」に存在している場合）、イベント通知情報に基づくイベント内容（例えば、「入浴」）を被介護者が実施したと判定する（みなす）。サーバ２０は、当該実施すべき場所に存在していない場合（例えば、当該基準時間Ｔ１経過後に「食堂」に存在している場合）、イベント通知情報に基づくイベント内容（例えば、「入浴」）を被介護者が実施していないと判定する。
【００６６】
サーバ２０は、イベント通知情報に基づくイベント内容を被介護者が実施していると判定した場合には（ステップＳ６６においてＹＥＳ）、判定結果（正当）を含むイベント履歴情報５２０を生成して（ステップＳ６８）、当該生成したイベント履歴情報５２０をメモリ２０４に格納する（ステップＳ７２）。図７に示すイベント履歴情報５２０における「場所」、「イベント内容」および「正当性」は、例えば、イベント通知情報が報知された時点から基準時間Ｔ１経過後における携帯端末装置１１の位置情報、イベント通知情報に基づくイベント内容、および判定結果（正当）にそれぞれ対応する。
【００６７】
一方、サーバ２０は、イベント通知情報に基づくイベント内容を被介護者が実施していないと判定した場合には（ステップＳ６６においてＮＯ）、判定結果（不当）を含むイベント履歴情報５２０を生成し（ステップＳ７０）、当該生成したイベント履歴情報５２０をメモリ２０４に格納する（ステップＳ７２）。この場合、イベント履歴情報５２０における「正当性」は、判定結果（不当）に対応する。
【００６８】
サーバ２０は、イベント履歴情報５２０を携帯端末装置１０に送信する（ステップＳ７４）。携帯端末装置１０は、イベント履歴情報５２０を受信して（ステップＳ７６）、当該イベント履歴情報５２０をディスプレイ１５８に表示する（ステップＳ７８）。
【００６９】
＜変形例＞
（１）上記の実施の形態２では、イベント通知情報の報知時点から基準時間Ｔ１経過後に、当該イベント通知情報に基づくイベント内容を実施すべき場所に被介護者が存在する場合には、当該被介護者が当該イベント内容を実施したとみなす構成について説明したが、当該構成に限られない。例えば、サーバ２０は、当該基準時間Ｔ１経過後に、当該イベント内容を実施すべき場所に被介護者が存在し、かつ当該被介護者の携帯端末装置１１からイベント内容の終了通知を受信した場合に、当該被介護者が当該イベント内容を実施したと判定する構成であってもよい。例えば、携帯端末装置１１は、イベント内容が終了したことを示す情報の入力を受け付けた場合に、イベント内容の終了通知をサーバ２０に送信する。
【００７０】
あるいは、サーバ２０は、イベント通知情報の報知時点から基準時間Ｔ１経過後に当該イベント内容を実施すべき場所に被介護者が存在し、かつ、当該時点から基準時間Ｔ２（ただし、Ｔ２＞Ｔ１）経過後に、当該イベント内容を実施すべき場所に被介護者が存在しない場合に、当該被介護者が当該イベント内容を実施したと判定する構成であってもよい。すなわち、サーバ２０は、基準時間Ｔ１経過後から基準時間Ｔ２経過後までの期間、被介護者が当該イベント内容を実施すべき場所に存在している場合には、当該期間に当該イベント内容を実施したとみなして上記判定を行なう。
【００７１】
（２）サーバ２０は、携帯端末装置１１の位置情報から得られる移動軌跡と移動時間のデータを解析（例えば、機械学習等）し、当該解析結果を携帯端末装置１０に提供してもよい。介護者の携帯端末装置１０は、当該結果をフィードバックすることにより、イベント通知内容（例えば、イベント内容やスケジュール等）を変更することができる。
【００７２】
（３）被介護者の携帯端末装置１１は、被介護者の異常を示す情報の入力を受け付けた場合に、当該異常を示す情報を出力するように構成されていてもよい。例えば、携帯端末装置１１は、入力装置１５６を介して、被介護者の緊急事態を示す情報の入力を受け付けた場合、当該情報をディスプレイ１５８に表示したり、スピーカ１６８を介して音声出力したり、サーバ２０や携帯端末装置１０に送信したりする。
【００７３】
（４）上述した実施の形態２において、装置情報５００は、携帯端末装置１１のメモリ１５４に格納される構成であってもよい。この場合、携帯端末装置１１のプロセッサ１５２が、図９中のステップＳ６４〜Ｓ７２に対応する処理を実行する構成であってもよい。すなわち、プロセッサ１５２は、携帯端末装置１１の位置情報の取得処理、イベント内容の実施判定処理、イベント履歴情報の生成処理、イベント履歴情報の格納処理を実行してもよい。
【００７４】
＜利点＞
実施の形態２によると、介護者は、被介護者に遠隔で指示を与えることにより、被介護者の１日の行動を容易に再確認することができる。また、介護者は、イベント履歴情報を被介護者の介護記録として用いることもできる。
【００７５】
また、実施の形態２では、介護者が被介護者に付き添うのではなく、イベント内容を指示することにより、被介護者に自主的に行動するように促す。そのため、例えば、イベント内容が「リハビリ」である場合には、被介護者にリハビリを能動的に行なうように促すことができる。
【００７６】
［実施の形態３］
実施の形態１では、複数の発信機３０が領域８００内に分散して配置されている構成について説明した。実施の形態３では、複数の受信機５０が領域８００内に分散して配置されている構成について説明する。
【００７７】
＜システム構成＞
図１０は、実施の形態３に従う情報処理システム１０００Ｃの全体構成を示す図である。図１０を参照して、情報処理システム１０００Ｃは、介護者の携帯端末装置１０と、サーバ２０と、発信機３０と、ネットワーク４０と、複数の受信機５０を含む。実施の形態３では、被介護者が、介護者に付き添われて行動している場面を想定する。また、携帯端末装置１０および発信機３０は、介護者に所持されているものとする。なお、介護者が、携帯端末装置１０および発信機３０を一体にした携帯端末装置を所持する構成であってもよい。
【００７８】
複数の受信機５０は、領域８００内に分散して配置されている。受信機５０は、例えば、発信機３０から発信されるビーコン信号３３を受信するための受信回路を内蔵した小型受信モジュール（例えば、受信側のビーコンモジュール）であり、駆動源として電池を搭載している。受信機５０は、独立電源としての太陽電池素子を有していてもよい。例えば、太陽電池素子は、色素増感型太陽電池素子である。
【００７９】
受信機５０の配置場所は、実施の形態１における発信機３０の配置場所と同様であり、例えば、領域８００内における食堂、寝室、リハビリルーム、トイレ、浴場等の各所である。受信機５０は、内蔵された通信インターフェイスを介して、ビーコン信号３３を受信した場合、受信機５０の識別情報（受信機ＩＤ）をサーバ２０に送信する。
【００８０】
サーバ２０は、受信機５０の装置情報をメモリ２０４に格納している。例えば、受信機５０の装置情報は、受信機５０の識別情報（受信機ＩＤ）と、受信機５０の位置情報（場所情報）とを含む。具体的には、受信機５０の装置情報は、各受信機５０の識別情報と、各受信機５０の配置場所との関係を示す情報であり、例えば、図５に示す情報テーブルにおいて、「ビーコンＩＤ」および「ビーコン位置情報」を、それぞれ受信機ＩＤおよび受信機５０の位置情報に置き換えたものに対応する。この場合、受信機ＩＤ「２」に対応する受信機５０は、寝室Ａに配置される。
【００８１】
＜システムの動作例＞
図１１は、実施の形態３に従う情報処理システム１０００Ｃの動作の一例を説明するための図である。ここでは、介護者に所持されている発信機３０は、常時、ビーコン信号３３を発信し、各受信機５０は、発信機３０からのビーコン信号３３を受信した場合、受信機ＩＤをサーバ２０に送信するものとする。
【００８２】
図１１を参照して、ステップＳ１０２，Ｓ１０４の処理は、図４中のステップＳ１０，Ｓ１２の処理と同様であるため、その詳細な説明は繰り返さない。携帯端末装置１０は、入力を受け付けたイベント情報をサーバ２０に送信する（ステップＳ１０６）。
【００８３】
サーバ２０は、イベント情報を受信する（ステップＳ１０８）。サーバ２０は、当該イベント情報の入力を受け付けた時点における携帯端末装置１０の位置情報を取得する（ステップＳ１１０）。具体的には、サーバ２０は、メモリ２０４を参照して、イベント情報が入力された時点から所定時間（例えば、１秒）内に、サーバ２０が受信した受信機ＩＤに対応する受信機５０の配置場所を、当該位置情報として算出する。
【００８４】
サーバ２０により実行されるステップＳ１１２〜Ｓ１２０の処理は、それぞれ図４中のＳ２２〜Ｓ３０の処理と同様である。携帯端末装置１０により実行されるステップＳ１２２，Ｓ１２４の処理は、それぞれ図４中のＳ３２，Ｓ３４の処理と同様である。そのため、これらの処理については、その詳細な説明は繰り返さない。
【００８５】
＜利点＞
実施の形態３によると、実施の形態１と同様の利点が得られる。
【００８６】
［実施の形態４］
実施の形態３では、複数の受信機５０が領域８００内の各所に配置されており、被介護者が、介護者に付き添われて行動している場面を想定した。実施の形態４では、複数の受信機５０が領域８００内の各所に配置されており、被介護者が介護者と離れて行動している場面について想定する。
【００８７】
＜システム構成＞
図１２は、実施の形態４に従う情報処理システム１０００Ｄの全体構成を示す図である。情報処理システム１０００Ｄは、被介護者の携帯端末装置１１を有する点で実施の形態３に従う情報処理システム１０００Ｃと異なる。また、情報処理システム１０００Ｄは、領域８００内に複数の受信機５０が配置されており、発信機３０を被介護者が所持している点で実施の形態２に従う情報処理システム１０００Ｂと異なる。以下、実施の形態２，３と異なる点について説明する。
【００８８】
携帯端末装置１１および発信機３０は、被介護者に所持されている。なお、被介護者が、携帯端末装置１１および発信機３０を一体にした携帯端末装置を所持する構成であってもよい。
【００８９】
＜システムの動作例＞
図１３は、実施の形態４に従う情報処理システム１０００Ｄの動作の一例を説明するための図である。ここでは、介護者に所持されている発信機３０は、常時、ビーコン信号３３を発信し、各受信機５０は、発信機３０からのビーコン信号３３を受信した場合、受信機ＩＤをサーバ２０に送信するものとする。
【００９０】
図１３を参照して、携帯端末装置１０が実行するステップＳ１３０，Ｓ１３２の処理は、それぞれ図９中のステップＳ５０，Ｓ５２の処理と同様であるため、その詳細な説明は繰り返さない。
【００９１】
携帯端末装置１１が実行するステップＳ１３４，Ｓ１３６の処理は、それぞれ図９中のステップＳ５４，Ｓ５６の処理と同様であるため、その詳細な説明は繰り返さない。携帯端末装置１１は、イベント通知情報と、イベント通知情報を報知した時刻（報知時刻）とをサーバ２０に送信する（ステップＳ１３８）。
【００９２】
サーバ２０は、イベント通知情報および報知時刻を受信する（ステップＳ１４０）。サーバ２０は、イベント通知情報の報知時刻から基準時間Ｔ１経過後における携帯端末装置１１の位置情報を取得する（ステップＳ１４２）。具体的には、サーバ２０は、イベント通知情報の報知時刻から基準時間Ｔ１経過後の直近で受信された受信機ＩＤに対応する受信機５０の配置場所を、当該位置情報として算出する。
【００９３】
サーバ２０により実行されるステップＳ１４４〜Ｓ１５２の処理は、それぞれ図９中のＳ６６〜Ｓ７４の処理と同様である。携帯端末装置１０により実行されるステップＳ１５４，Ｓ１５６の処理は、それぞれ図９中のＳ７６，Ｓ７８の処理と同様である。そのため、これらの処理については、その詳細な説明は繰り返さない。
【００９４】
＜利点＞
実施の形態４によると、実施の形態２と同様の利点が得られる。
【００９５】
［実施の形態５］
実施の形態５では、イベント内容に関連付けられた装置を利用して、イベント内容が終了したか否かを判断する構成について説明する。
【００９６】
＜システム構成＞
図１４は、実施の形態５に従う情報処理システム１０００Ｅの全体構成を示す図である。図１４に示すように、情報処理システム１０００Ｅは、領域８００内のリハビリルーム８０２において、携帯端末装置１１を所持した被介護者がイベント内容「リハビリ」を行なう場面を想定する。
【００９７】
リハビリルーム８０２には、発信機３０が配置されており、リハビリ装置６００が設けられている。リハビリ装置６００は、例えば、ルームランナー、エアロバイク（登録商標）、ステップマシン等である。
【００９８】
リハビリ装置６００は、装置全体を制御するためのプロセッサと、被介護者からの入力を受け付ける入力装置と、ネットワーク４０に接続するための通信インターフェイスと、メモリと、稼働状況を検出するためのセンサ装置等を含む。
【００９９】
リハビリ装置６００は、被介護者のユーザ情報の入力を受け付ける。リハビリ装置６００は、ユーザ情報と、リハビリ終了を示す情報とをネットワーク４０を介してサーバ２０に送信する。具体的には、リハビリ装置６００は、被介護者によるイベント内容「リハビリ」が終了したと判断した場合に、リハビリ終了情報をサーバ２０に送信する。
【０１００】
例えば、リハビリ装置６００がルームランナーやエアロバイクである場合を想定する。この場合、リハビリ装置６００は、距離測定メータの測定距離が予め定められた距離に到達した場合に、リハビリが終了したと判断して、リハビリ終了情報とユーザ情報とをサーバ２０に送信する。または、リハビリ装置６００は、自装置の稼働が検出された後、距離測定メータの測定距離が一定時間（例えば、３０分）変化しなかった場合に、リハビリが終了したと判断して、リハビリ終了情報とユーザ情報とをサーバ２０に送信してもよい。
【０１０１】
サーバ２０あるいは携帯端末装置１０は、ユーザ情報とリハビリ終了情報とを受信することにより、被介護者のイベント内容「リハビリ」が終了したことを把握できる。
【０１０２】
上記では、イベント内容が「リハビリ」であるため、リハビリ装置６００を例示して説明したが、当該構成に限られない。例えば、イベント内容が「排尿」である場合には、トイレ装置等であってもよい。そのため、サーバ２０あるいは携帯端末装置１０が、被介護者が実施すべきイベント内容に関連付けられた所定装置から送信されるイベント終了情報に基づいて、当該イベント内容が終了したか否かを判断する構成であればよい。
【０１０３】
＜利点＞
実施の形態５によれば、イベント内容の終了を精度良く把握することができる。
【０１０４】
［実施の形態６］
実施の形態１では、被介護者が、介護者に付き添われて行動しているときに、介護者のみが携帯端末装置を所持している構成について説明した。実施の形態６では、介護者および被介護者が携帯端末装置を所持している構成について説明する。
【０１０５】
＜システム構成＞
図１５は、実施の形態６に従う情報処理システム１０００Ｆの全体構成を示す図である。情報処理システム１０００Ｆは、被介護者が携帯端末装置１１を所持している点で情報処理システム１０００Ａと異なる。以下、実施の形態１と異なる点について説明する。
【０１０６】
携帯端末装置１０および１１は、各発信機３０から送信されるビーコン信号３３を受信し、当該受信したビーコン信号３３に含まれるビーコンＩＤをサーバ２０に送信する。そのため、サーバ２０は、図５に示す装置情報５００を参照することにより、携帯端末装置１０および１１の現在の位置情報を算出できる。
【０１０７】
＜システムの動作例＞
図１６は、実施の形態６に従う情報処理システム１０００Ｆの動作の一例を示す図である。ここでは、携帯端末装置１１は、各発信機３０から送信されるビーコン信号３３を受信し、当該受信したビーコン信号３３に含まれるビーコンＩＤをサーバ２０に常時送信しているものとする。
【０１０８】
図１６を参照して、携帯端末装置１０が実行するステップＳ１７０〜Ｓ１７６の処理は、それぞれ図４中のステップＳ１０〜Ｓ１６の処理と同様であるため、その詳細な説明は繰り返さない。
【０１０９】
サーバ２０は、イベント情報およびビーコンＩＤを携帯端末装置１０から受信する（ステップＳ１７８）。サーバ２０は、図５に示す情報テーブル（装置情報５００）を参照して、携帯端末装置１０から受信したビーコンＩＤに対応するビーコン位置情報を取得する（ステップＳ１８０）。すなわち、サーバ２０は、イベント情報が入力された時点における携帯端末装置１０の位置情報Ｐ１を算出する。
【０１１０】
サーバ２０は、携帯端末装置１０から受信したイベント情報に含まれるイベント入力時刻において、携帯端末装置１１から受信したビーコンＩＤに対応するビーコン位置情報を取得する（ステップＳ１８２）。すなわち、サーバ２０は、イベント情報が入力された時点における携帯端末装置１１の位置情報Ｐ２を算出する。
【０１１１】
サーバ２０は、位置情報Ｐ１および位置情報Ｐ２が一致するか否かを判定する（ステップＳ１８４）。これらの情報が一致しない場合には（ステップＳ１８４においてＮＯ）、サーバ２０は、イベント内容の判定結果（不当）を含むイベント履歴情報を生成する（ステップＳ１９０）。すなわち、サーバ２０は、介護者および被介護が共に行動していないと場合には、イベント内容が不当であるとの判定結果を含むイベント履歴情報を生成する。これらの情報が一致する場合には（ステップＳ１８４においてＹＥＳ）、サーバ２０は、判定テーブル４１０を参照して、位置情報Ｐ１および位置情報Ｐ２が示す場所におけるイベント内容として、受信したイベント情報に含まれるイベント内容が正当か否かを判定する（ステップＳ１８６）。
【０１１２】
当該イベント内容が正当である場合には（ステップＳ１８６においてＹＥＳ）、サーバ２０は、イベント内容の判定結果（正当）を含むイベント履歴情報を生成して（ステップＳ１８８）、当該生成したイベント履歴情報をメモリ２０４に格納する（ステップＳ１９２）。当該生成されるイベント履歴情報は、図７に示すイベント履歴情報５２０に、携帯端末装置１１の位置情報を追加したものに相当する。一方、イベント内容が不当である場合には（ステップＳ１８６においてＮＯ）、サーバ２０は、イベント内容の判定結果（不当）を含むイベント履歴情報を生成し（ステップＳ１９０）、当該生成したイベント履歴情報をメモリ２０４に格納する（ステップＳ１９２）。サーバ２０は、イベント履歴情報を携帯端末装置１０に送信する（ステップＳ１９４）。
【０１１３】
携帯端末装置１０が実行するステップＳ１９６，Ｓ１９８の処理は、それぞれ図４中のステップＳ３２，Ｓ３４の処理と同様であるため、その詳細な説明は繰り返さない。
【０１１４】
＜利点＞
実施の形態６によると、介護者および被介護が共に行動していない場合には、イベント内容が不当であると判定される。そのため、より精度の高いイベント履歴情報を生成することができる。
【０１１５】
［その他の実施の形態］
なお、コンピュータを機能させて、上述の実施の形態で説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１６】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１１７】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１１８】
また、上述した実施の形態１〜６では、領域８００として、介護施設を想定し、対象者を被介護者または介護者である例を説明したが、領域８００は介護施設に限定されず、対象者も被介護者または介護者に限定されない。領域８００は、病院、商業施設、空港、駅、オフィスビル等であってもよい。対象者は、領域８００の範囲内で位置情報と行動記録の両方を記録される人間、動物、ロボット等であってもよい。
【０１１９】
［まとめ］
上記実施の形態を通して述べてきた内容を総括すると、概ね以下のとおりである。
【０１２０】
（１）携帯端末装置１０を利用した情報処理システム１０００Ａは、所定領域（領域８００）内に分散して配置され、互いに異なる識別情報（ビーコンＩＤ）を発信する複数の発信装置（発信機３０）を含む。携帯端末装置１０のプロセッサ１５２は、通信インターフェイス１６６を介して、ビーコンＩＤを受信する受信部を含む。サーバ２０は、複数の発信機３０の各々について、当該発信機３０のビーコンＩＤおよびビーコン位置情報を含む装置情報５００を格納する情報格納部（メモリ２０４）を含む。
【０１２１】
携帯端末装置１０のプロセッサ１５２は、入力装置１５６を介して、被介護者に関するイベント情報の入力を受け付ける入力部を含む。サーバ２０のプロセッサ２０２は、受信部により受信されたビーコンＩＤと、装置情報５００とに基づいて、入力部によりイベント情報の入力が受け付けられた時点における当該携帯端末装置１０の位置情報を取得する取得部を含む。サーバ２０のプロセッサ２０２は、通信インターフェイス２０６を介して、被介護者に関するイベント情報と、当該時点での携帯端末装置１０の位置情報とを含む被介護者のイベント履歴情報５２０を出力（送信）する出力部を含む。
【０１２２】
（２）上記（１）における情報処理システム１０００Ａにおいて、サーバ２０のプロセッサ２０２は、取得された携帯端末装置１０の位置情報が示す場所におけるイベント内容として、被介護者に関するイベント情報に含まれるイベント内容が正当か否かを判定する判定部を含む。
【０１２３】
（３）被介護者の携帯端末装置１１と、介護者の携帯端末装置１０とを利用した情報処理システム１０００Ｂは、所定領域（領域８００）内に分散して配置され、互いに異なる識別情報（ビーコンＩＤ）を発信する複数の発信装置（発信機３０）を含む。携帯端末装置１１のプロセッサ１５２は、第１の通信インターフェイス（通信インターフェイス１６６）を介して、ビーコンＩＤを受信する受信部を含む。サーバ２０は、複数の発信機３０の各々について、当該発信機３０のビーコンＩＤおよびビーコン位置情報を含む装置情報５００を格納する情報格納部（メモリ２０４）を含む。
【０１２４】
携帯端末装置１１のプロセッサ１５２は、第２の通信インターフェイス（無線通信部１６０および通信アンテナ１６２）を介して、携帯端末装置１０からのイベント通知情報を受信する通知情報受信部と、当該イベント通知情報を報知する報知部とを含む。サーバ２０のプロセッサ２０２は、受信部により受信されたビーコンＩＤと、装置情報５００とに基づいて、報知部によりイベント通知情報が報知された時点から所定時間（基準時間Ｔ１）経過後における携帯端末装置１１の位置情報を取得する取得部を含む。サーバ２０のプロセッサ２０２は、通信インターフェイス２０６を介して、イベント通知情報に基づくイベント内容と、当該基準時間Ｔ１経過後における携帯端末装置１１の位置情報とを含む、被介護者のイベント履歴情報を出力（送信）する出力部を含む。
【０１２５】
（４）上記（３）における情報処理システム１０００Ｂにおいて、サーバ２０のプロセッサ２０２は、取得部により取得された携帯端末装置１１の位置情報に基づいて、イベント通知情報に基づくイベント内容を被介護者が実施したか否かを判定する判定部をさらに含む。
【０１２６】
（５）内部に設けられた発信モジュールにより識別情報（ビーコンＩＤ）を発信する携帯端末装置を利用した情報処理システム１０００Ｃは、所定領域（領域８００）内に分散して配置される複数の受信装置（受信機５０）を含む。複数の受信機５０の各々は、ビーコンＩＤを受信した場合、当該受信機５０の識別情報をサーバ２０に送信する。サーバ２０は、複数の受信機５０の各々について、当該受信機５０の受信機ＩＤおよび受信機５０の位置情報を含む受信装置情報を格納する情報格納部（メモリ２０４）を含む。
【０１２７】
携帯端末装置のプロセッサ１５２は、被介護者に関するイベント情報の入力を受け付ける入力部と、当該入力部により受け付けられたイベント情報をサーバ２０に送信するイベント情報送信部とを含む。サーバ２０のプロセッサ２０２は、サーバ２０に送信された受信機ＩＤと、受信装置情報とに基づいて、入力部によりイベント情報の入力が受け付けられた時点における携帯端末装置の位置情報を取得する取得部を含む。サーバ２０のプロセッサ２０２は、被介護者に関するイベント情報と、当該時点における携帯端末装置の位置情報とを含む、被介護者のイベント履歴情報を出力（送信）する出力部を含む。
【０１２８】
（６）内部に設けられた発信モジュールにより識別情報を発信する、被介護者の携帯端末装置と、介護者の携帯端末装置１０とを利用した情報処理システム１０００Ｄは、所定領域（領域８００）内に分散して配置される複数の受信装置（受信機５０）を含む。複数の受信機５０の各々は、ビーコンＩＤを受信した場合、当該受信機５０の識別情報をサーバ２０に送信する。サーバ２０は、複数の受信機５０の各々について、当該受信機５０の受信機ＩＤおよび受信機５０の位置情報を含む受信装置情報を格納する情報格納部（メモリ２０４）を含む。
【０１２９】
携帯端末装置のプロセッサ１５２は、通信インターフェイス（無線通信部１６０および通信アンテナ１６２）を介して携帯端末装置１０からのイベント通知情報を受信する通知情報受信部と、当該イベント通知情報を報知する報知部とを含む。
【０１３０】
サーバ２０のプロセッサ２０２は、サーバ２０に送信された受信機ＩＤと、受信装置情報とに基づいて、報知部によりイベント通知が報知された時点から所定時間（基準時間Ｔ１）経過後における携帯端末装置１１の位置情報を取得する取得部を含む。サーバ２０のプロセッサ２０２は、通信インターフェイス２０６を介して、イベント通知情報に基づくイベント内容と、当該基準時間Ｔ１経過後における携帯端末装置１１の位置情報とを含む、被介護者のイベント履歴情報を出力（送信）する出力部を含む。
【０１３１】
（７）上記（３）または（６）において、サーバ２０のプロセッサ２０２は、被介護者が実施すべきイベント内容に関連付けられた所定装置（リハビリ装置６００）から送信されるイベント終了情報（リハビリ終了情報）に基づいて、当該イベント内容が終了したか否かを判断する。
【０１３２】
（８）複数の携帯端末装置を利用した情報処理システム１０００Ｆは、所定領域（領域８００）内に分散して配置され、互いに異なる識別情報（ビーコンＩＤ）を発信する複数の発信装置（発信機３０）を含む。携帯端末装置１０および１１の各プロセッサ１５２は、各通信インターフェイス１６６を介して、ビーコンＩＤを受信する受信部を含む。サーバ２０は、複数の発信機３０の各々について、当該発信機３０のビーコンＩＤおよびビーコン位置情報を含む装置情報５００を格納する情報格納部（メモリ２０４）を含む。
【０１３３】
携帯端末装置１０のプロセッサ１５２は、入力装置１５６を介して、被介護者に関するイベント情報の入力を受け付ける入力部を含む。サーバ２０のプロセッサ２０２は、携帯端末装置１０により受信されたビーコンＩＤと、装置情報５００とに基づいて、携帯端末装置１０によりイベント情報の入力が受け付けられた時点における当該携帯端末装置１０および１１の位置情報を取得する取得部を含む。サーバ２０のプロセッサ２０２は、通信インターフェイス２０６を介して、被介護者に関するイベント情報と、当該時点での携帯端末装置１０および１１の位置情報とを含む、被介護者のイベント履歴情報５２０を出力（送信）する出力部を含む。
【０１３４】
（９）上記において、入力部は、被介護者の異常を示す情報の入力を受け付ける。携帯端末装置のプロセッサ１５２は、異常を示す情報を出力する異常情報出力部を含む。
【０１３５】
（１０）上記において、複数の発信機３０の各々は、電源としての太陽電池素子を有する。
【０１３６】
（１１）上記において、太陽電池素子は、色素増感型太陽電池素子である。
上述の実施の形態として例示した構成は、本開示の構成の一例であり、別の公知の技術と組み合わせることも可能であるし、本開示の要旨を逸脱しない範囲で、一部を省略する等、変更して構成することも可能である。
【０１３７】
また、上述した実施の形態において、変形例および他の実施の形態で説明した処理や構成を適宜組み合わせて実施する場合であってもよい。
【０１３８】
今回開示された実施の形態はすべての点で例示であって制限的なものではないと考えられるべきである。本開示の範囲は、上記した説明ではなく、特許請求の範囲によって示され、特許請求の範囲と均等の意味および範囲内でのすべての変更が含まれることが意図される。
【符号の説明】
【０１３９】
１０，１１  携帯端末装置、２０  サーバ、３０  発信機、３３  ビーコン信号、４０  ネットワーク、５０  受信機、１５２，２０２  プロセッサ、１５４，２０４  メモリ、１５６  入力装置、１５８  ディスプレイ、１６０  無線通信部、１６２  通信アンテナ、１６４  メモリインターフェイス、１６５  記憶媒体、１６６，２０６  通信インターフェイス、１６８  スピーカ、１７０  マイク、４１０  判定テーブル、５００  装置情報、５２０  イベント履歴情報、６００  リハビリ装置、８００  領域、８０２  リハビリルーム、１０００Ａ〜１０００Ｆ  情報処理システム。
【図１】
2020174405.tif 000003
【図２】
2020174405.tif 000004
【図３】
2020174405.tif 000005
【図４】
2020174405.tif 000006
【図５】
2020174405.tif 000007
【図６】
2020174405.tif 000008
【図７】
2020174405.tif 000009
【図８】
2020174405.tif 000010
【図９】
2020174405.tif 000011
【図１０】
2020174405.tif 000012
【図１１】
2020174405.tif 000013
【図１２】
2020174405.tif 000014
【図１３】
2020174405.tif 000015
【図１４】
2020174405.tif 000016
【図１５】
2020174405.tif 000017
【図１６】
2020174405.tif 000018